(57)【要約】【課題】植物育成の知識が不足している一般人にとっても植物育成の過程が楽しめ、且つ失敗の無い植物育成ができる植物育成情報の提供方法を提供することにある。【解決手段】管理用サーバー４の植物育成情報作成機能４０ｂは、育成対象の植物の情報が与えられると、植物育成基本データを格納しているデータベース５から当該植物の植物育成基本データを検索し、顧客Ａ側の植物育成設備Ｙのセッティングから植物育成終了までの育成作業スケジュールに沿って、植物育成基本データから育成途中で為すべき作業内容を示す作業情報及び制御機器の制御情報からなる時系列的な植物育成情報を作成し、育成作業スケジュールに沿って顧客Ａの植物育成設備ＹへネットワークＩＮＴを通じて送信提供する。【選択図】図１
2006254775.tif 000002
【特許請求の範囲】
【請求項１】
育成植物を植え付けるベース部を備えた育成用閉空間を有するとともに育成用閉空間の環境や施肥を制御する制御機器を付設した植物育成装置と、制御機器の制御情報や植物育成作業に関する情報を含む植物育成情報の受信や前記育成閉空間の環境の情報や植物育成状態の情報をネットワーク上に発信する情報授受用機器とを備えた植物育成設備と、ネットワーク及び前記植物育成設備との間で情報の授受を行う管理用サーバーとで構成され、前記管理用サーバーから前記ネットワークを通じて与えられる植物育成情報に基づいて植物育成設備で植物育成者への育成作業情報の提示と制御機器の制御を行う植物育成システムに用いられ、
前記管理用サーバーでは、育成対象の植物の情報が与えられると、植物育成基本データを格納しているデータベースから当該植物の植物育成基本データを検索し、前記植物育成設備のセッティングから植物育成終了までの育成途中で為すべき作業内容を示す作業情報及び前記制御機器の制御情報からなる時系列的な植物育成情報を作成し、該植物育成情報を植物育成設備へネットワークを通じて送信提供することを特徴とする植物育成情報の提供方法。
【請求項２】
前記植物育成情報には作業内容に呼応した確認を行う情報が含まれ、
前記管理用サーバーでは、当該作業情報の作業内容に呼応した確認入力があったことを示す結果情報を植物育成者側からネットワークを通じて受け取ると、植物育成設備からの確認結果を考慮して確認結果に呼応した植物育成情報を作成することを特徴とする請求項１記載の植物育成情報の提供方法。
【請求項３】
前記管理用サーバーからの呼びかけに応じて植物育成者が前記確認入力を行うことを特徴とする請求項２記載の植物育成情報の提供方法。
【請求項４】
前記管理用サーバーから確認命令が植物育成設備側に送られてくると、前記植物育成装置に設けた確認手段が確認命令に沿って確認動作を行うことを特徴とする請求項２記載の植物育成情報の提供方法。
【発明の詳細な説明】
【技術分野】
【０００１】
本発明は、植物育成情報の提供方法に関するものである。
【背景技術】
【０００２】
太古から植物は、厳しい自然界の気象変化や他の動植物の振る舞いに対して適応し生きてきた。またこの外的要因は、時には種の絶滅などへも作用したが、その度にそれに耐え得る新種が生まれることとなり、現在まで多種多様の植物が生まれてきた。そうして植物は、姿形また適合する成育条件の違いなど多様な品種を持つこととなり、その内部においても多彩な外的要因に対処でき得るよう多様な遺伝子情報を持つこととなった。
【０００３】
野菜や花卉類は古くから人類によって栽培されており、その栽培方法は年代と共に様々に変化してきている。古くは、植物の育成の手助けをするというもので、土地の選定、周りの雑草の処理や害虫の処理、水管理などが主であった。
【０００４】
現在はこれに積極的に植物の育成を促進するための、肥料の管理、温度管理、光管理などが加わり、広大な畑の作物からハウス栽培や一貫大量生産の植物工場へと移り変わってきている。
【０００５】
このハウス栽培や植物工場において生産される植物は、古くから栽培されその育成方法や条件がある程度明らかになっているもので、更に前記生産方法に適した品種に限られてきている。或いは品種改良などによって同生産方法に適した品種を作り出してきている。
【０００６】
これに加え人間の欲求は、花卉類であれば「もっと色合いの良いもの、形の良いもの、珍しいもの等」、野菜であれば「もっと美味しいもの、大きいもの、収穫量の多いもの等」と、現状に満足することなく次々と現れてくる。
【０００７】
これらを満足させていくため、更に新しい品種改良を進めたり、新しい育成方法を開発したりする必要性がでてきている。しかしながらこれらの開発に当たっては、多数のサンプルと広大な土地、精密な制御管理技術、更に長い期間が必要であり、コスト負担は多大なものがある。このためこれを行っているのは、各地の農業試験所や大学の研究機関などの非営利機関が主であり、営利目的である民間では非常に限られた分野でしか行われていないのが実情である。また前記農業試験所や大学においても、学術的に興味のあるテーマがあっても、差し当たっての注目性のあるもの、社会貢献度の大きいもの、速効性のあるものから行うこととなり、実際の開発は同様に限られた分野や限られた方式が対象となっている。
【０００８】
一方、農業分野における大量生産（高効率生産）や高付加価値生産の手段は、品種改良などによる種子レベルでの情報操作と、育成段階での様々な環境条件制御である。
【０００９】
前者は、交配技術や遺伝子組み替えなどの高度な技術分野として確立され、現在も新種の植物がどんどん生み出されている。
【００１０】
後者は、気温・地温・湿度・水分量・炭酸ガス濃度・光の強さ・光の波長・光のリズムなどを機械的に制御し自然界で起こるマイナスの育成条件を省き、安定的な育成栽培を行うものである。
【００１１】
これはハウス栽培や植物工場などで、特定の作物や花卉類において絞り込んだ条件のもとで行われており、研究室で準備された育成条件をもとに、各育成条件を電気的に制御できるようにし、更にインターネット等を介し遠隔地から集中的に制御する方式も試みられつつある（例えば特許文献１）。
【特許文献１】特開平１０−１９１７８７号公報（図１、段落番号００３７）
【発明の開示】
【発明が解決しようとする課題】
【００１２】
ところで、上述の特許文献１に開示されている植物栽培システムは、植物栽培装置に対して遠隔から環境制御や液肥料の供給量の制御を時系列的に自動的に行うものであるが、植物栽培装置側で単に育成対象の植物情報を中央管理装置に与えると、中央管理装置側で予め記憶している当該植物の生育情報を読み出して植物栽培装置側へ送り生育情報に含まれる制御データと、植物栽培装置側の検知手段の検知情報に基づいてフィードバック的に自動的に制御を行うものである。
【００１３】
このようなシステムでは、植物の育成過程で必要とする作業に対する適時なアドバイスを与えるようになっていないため、植物の個体差に対応して適切な植物育成を行うことができず、また自動制御に任せるため、植物個体差に起因する育成状態を把握できない一般人にとって、かえって植物育成の失敗に繋がるという遅れがあった。
【００１４】
つまり、大量生産に適した植物の栽培にはふさわしいものの、植物育成の過程を楽しむという一般人向けではなかった。
【００１５】
本発明は、上述の点に鑑みて為されたもので、その目的とするところは各種の植物の育成に必要な作業情報を含む植物育成情報を育成作業スケジュールに沿って管理用サーバーから各植物育成設備側へ提供して植物育成者に呈して日々の作業項目の作業内容を指示することが可能で、植物育成の知識が不足している一般人にとっても植物育成の過程が楽しめ、且つ失敗の無い植物育成ができる植物育成情報の提供方法を提供することにある。
【課題を解決するための手段】
【００１６】
上述の目的を達成するために、請求項１の発明では、育成植物を植え付けるベース部を備えた育成用閉空間を有するとともに育成用閉空間の環境を制御する制御機器を付設した植物育成装置と、制御機器の制御情報や植物育成作業に関する情報を含む植物育成情報の受信や前記育成閉空間の環境の情報や植物育成状態の情報をネットワーク上に発信する情報授受用機器とを備えた植物育成設備と、ネットワーク及び前記植物育成設備との間で情報の授受を行う管理用サーバーとで構成され、前記管理用サーバーから前記ネットワークを通じて与えられる植物育成情報に基づいて植物育成設備で植物育成者への育成作業情報の提示と制御機器の制御を行う植物育成システムに用いられ、前記管理用サーバーでは、育成対象の植物の情報が与えられると、植物育成基本データを格納しているデータベースから当該植物の植物育成基本データを検索し、前記植物育成設備のセッティングから植物育成終了までの育成途中で為すべき作業内容を示す作業情報及び前記制御機器の制御情報からなる時系列的な植物育成情報を作成し、該植物育成情報を植物育成設備へネットワークを通じて送信提供することを特徴とする。
【００１７】
請求項１の発明によれば、植物育成設備に備えた制御機器の制御を育成対象の植物に適した環境となるように制御する情報と、植物育成設備のセッティングから植物育成終了までの育成途中で為すべき作業内容を示す作業情報を植物育成設備側へ提供することで、植物育成者に対して育成状態に対応した適切な作業内容を指示することができ、そのため植物育成のための知識が不足している一般人でも育成作業を植物育成が失敗することなく、楽しむことができる植物育成情報を提供できる。
【００１８】
請求項２の発明では、請求項１の発明において、前記植物育成情報には作業内容に呼応した確認を行う情報が含まれ、前記管理用サーバーでは、当該作業情報の作業内容に呼応した確認入力があったことを示す結果情報を植物育成者側からネットワークを通じて受け取ると、植物育成設備からの確認結果を考慮して確認結果に呼応した植物育成情報を作成することを特徴とする。
【００１９】
請求項２の発明によれば、植物育成者側から収集する結果情報を植物育成者に提供する作業情報に反映させることができ、植物育成状態に適した作業情報を含む植物育成情報として植物育成者側へ提供でき、植物個体差にも適応させた育成作業が可能となる。
【００２０】
請求項３の発明では、請求項２の発明において、前記管理用サーバーからの呼びかけに応じて植物育成者が前記確認入力を行うことを特徴とする。
【００２１】
請求項３の発明によれば、確認入力は管理用サーバーからの呼びかけに応じれば良く、植物育成者の作業に混乱を生じさせない。
【００２２】
請求項４の発明では、請求項２の発明において、前記管理用サーバーから確認命令が植物育成設備側に送られてくると、前記植物育成装置に設けた確認手段が確認命令に沿って確認を行うことを特徴とする。
【００２３】
請求項４の発明によれば、自動的に確認が為されるので、植物育成者側の確認作業の負担が無い。
【発明の効果】
【００２４】
本発明は、植物育成設備に備えた制御機器の制御を育成対象の植物に適した環境となるように制御する情報と、種付けから植物育成終了までの育成作業スケジュールに沿って作業項目とその内容を植物育成設備側へ提供することで、植物育成者に対して育成状態に対応した適切な作業内容を育成作業スケジュールに沿って指示することができ、そのため植物育成のための知識が不足している一般人でも育成作業を植物育成が失敗することなく、楽しむことができる植物育成情報を提供できるという効果がある。
【発明を実施するための最良の形態】
【００２５】
以下本発明を実施形態により詳説する。
【００２６】
図１は本発明を用いた植物育成システムの実施形態の構成を示しており、該植物育成システムは、植物育成者である顧客Ａ側には、様々な植物を育成するための植物育成装置１が屋内或いは屋外に設置される。植物育成装置１は、育成植物を植え付けるベース部を備えた育成用閉空間を有するとともに、該育成用閉空間の様々な環境条件や施肥条件を制御するための後述する各種制御機器及び環境検知用センサーや施肥状態を検知するセンサー等各種のセンサーを有し、隣接（或いは内包）された制御ユニット２に接続される。制御ユニット２は、外部情報用の入出力部（入出力用ポート）を有し、情報表示手段と情報入力操作手段とを兼ねた例えばパソコン３からなる情報授受用装置を通じてインターネットのようなネットワークＩＮＴに接続され、このネットワークＩＮＴを介して事業者Ｂ側に設置されている管理用サーバー４との間で情報の授受を行えるようになっている。
【００２７】
ここで植物育成装置１と、制御ユニット２と、パソコン３とで植物育成設備Ｙが構成され、事業者Ｂからは植物育成装置１，制御ユニット２及びパソコン３で実行させる当該システムのアプリケーションが顧客Ａに販売或いはレンタルされる。勿論必要に応じてパソコン３も販売或いはレンタルされる。
【００２８】
事業者Ｂ側の設備は、ネットワークＩＮＴに接続されたコンピュータシステムからなる管理用サーバー４により複数の植物育成設備Ｙとの間で様々な情報のやり取りを行うと共に、植物育成情報の自動作成等や顧客Ａの管理を行うことができるようになっている。
【００２９】
植物育成装置１は、実際に育成植物Ｘを育成する育成用閉空間を構成する構造体からなり、図２に示すようにその一部はガラス或いはアクリルなどの透明なカバー１０によって構成され、育成状態の観察や観葉の機能を有する。
【００３０】
さて植物育成設備Ｙの中核となる植物育成装置１の育成用閉空間を内部に設ける構造体は、前記カバー１０と、底部１１と、天井部１２と、装置本体１３との４つのブロックに分かれており、底部１１は上面開口の凹平面１１ａを持つ扁平箱状に形成され、育成植物Ｘが植え付けられ、該育成植物Ｘの根を張る部分であるベース部１５を設けてある。このベース部１５としては、土耕又は水耕などの用途に合わせたタイプが準備提供される。
【００３１】
また装置本体１３は、底部１１の一端の外側面に内側面下部を沿うように底部１１の一端部に立設され、内側面下部に突出させている給水口部１６を、底部１１の一端部側壁に形成した孔１７に貫挿させて凹平面１１ａ内に臨ませ、凹平面１１ａ上のベース１５に給水することができるようになっている。
【００３２】
前記カバー１０は水平断面形状がコ字状で、その両側片の端部を装置本体１３の内側面の両側に当接するようにしてベース１５上に配設し、このカバー１０と装置本体１３とで育成用閉空間の四方の周壁を構成している。
【００３３】
そしてカバー１０は上述したようにベース１５に植え付けた育成植物Ｘの育成状態の観察や観葉のための観察窓を兼ねるもので、通気孔１８を図示するように穿設してある。また天井部１２はカバー１０及び装置本体１３で構成される四方の周壁で囲まれる空間の天井部に被着される。
【００３４】
而して育成用閉空間はカバー１０，底部１１，天井部１２、装置本体１３とで囲まれた内部空間により構成される。
【００３５】
さて前記天井部１２には、育成植物Ｘの種類や育成方式に合わせて、植物育成用照明ランプ１９が設けられ、また制御機器としてベース１５と凹平面１１ａとの間にベース用ヒーター１４を配設したり、或いは空調用として装置本体１３内に空調機を、また植物育成用照明ランプ１９を調光するための調光器、更に制御機器を時間制御するためのタイムスイッチ、前記の給水口部１６を用いたて自動給水或いは施肥を行うための自動給水器や肥料供給装置、更に気流制御用のファン等の制御機器が育成する植物や育成方式に応じてセットされる。
【００３６】
制御機器として、図３に示すようにファン／ヒーター装置２０が装置本体１３内にセットされており、装置本体１３の側面にはファン／ヒーター装置２０のために外気を取り込むための通気孔２１を穿設するとともに、内側面には送風用孔２２を穿設してある。
【００３７】
また、育成用閉空間内の環境状態を検知するためセンサーとして、ベース温度センサー（土壌用、水中用）、温度センサー、湿度センサー、照度センサー、水分量センサー、炭酸ガスセンサーなどの環境検知用のセンサーが育成植物Ｘの種類や育成方式に併せてセットされる。
【００３８】
図３の場合には、ベース用温度センサー２３をベース１５に対応して配設され、また装置本体１３内に育成用閉空間内の温度及び湿度を検知するための温度／湿度センサー２４を内蔵してあり、この温度／湿度センサー２２に対応して装置本体１３の前面側に通気孔２５を穿設してある。
【００３９】
また装置本体１３内にはベース用ヒーター１４、ファン／ヒーター装置２０、植物育成用照明ランプ１９等の制御機器に対する動作指令を送るとともに、その動作状態を示す情報の受信を行う機能を備え、また育成用閉空間内（場合によっては装置外も含む）の環境状態検知用のセンサー、例えばベース用温度センサー２３，温度／湿度センサー２４等のセンサーと接続され、これらセンサー２３，２４からの環境の情報を受け取る機能を備えている制御ユニット２を設けてある。勿論制御ユニット２は装置本体１３外に設けても良い。
【００４０】
本実施形態の制御ユニット２は、図４に示すようにパソコン３に接続される入／出力ポート３０と、事業者Ｂ側から提供される植物育成情報に含まれる制御情報から各制御機器Ｃへの制御信号に変換して送出する機能を有する。
【００４１】
逆に植物育成装置１側の各制御機器Ｃからの動作状態信号及び環境検知用の各センサーＤからの検知情報を、制御結果及び植物育成結果を示す結果情報に変換し、事業者Ｂ側へ送信する機能を有する。
【００４２】
またセンサーＤからの検知情報が、意図した育成環境にならない場合もある。このため、制御ユニット２は、制御機器Ｃを動作させる基となっている植物育成情報とセンサーが検知する環境の情報を常に比較して、そのずれを算出し、その算出結果に基づいて再び制御機器Ｃに制御信号として指令を出すフィードバック制御機能を有する。
【００４３】
尚本実施形態では、肥料や水の外部からの補給や、剪定、摘心などの直接的な操作は、顧客Ａが行う。
【００４４】
次に植物育成システムを用いて顧客Ａが植物育成を行う流れを説明する。
【００４５】
まず事業者Ｂ側は本システムを利用して可能な各種植物のリスト並びに植物育成装置１やその他育成に必要な各種情報を、前記管理用サーバー４により構築したＷｅｂサーバー４０ａによって提供されるホームページに掲載し、顧客Ａ側でパソコン３のＷｅｂブラウザにより前記ホームページを閲覧することができるようになっている。
【００４６】
そして、顧客Ａはこれらの情報をもとに、育成する植物並びに育成方法を決め、植物育成情報と種苗を事業者Ｂ側から入手すると共に、植物育成装置１がない場合は同時に植物育成装置１と制御ユニット２の購入或いはレンタル（有料貸与）契約を行う
その後、事業者Ｂ側は顧客Ａの注文及び契約状況に従って、植物育成装置１や制御ユニット２、種苗、その他植物育成に必要とする用品（サプライ品）の発送を行う。
【００４７】
顧客Ａは受け取った制御ユニット２を含めた植物育成装置１を受け取ると、ネットワークＩＮＴに接続しているパソコン３で本システムのアプリケーションを実行すると、自動的に管理用サーバー４が構築しているＷｅｂサーバー機能４０ａで提供されるホームページにアクセスし、契約者としての認証を受けて契約者用のページにログインする。管理用サーバー４には認証用顧客情報及び後述する各植物に対応した標準の植物育成基本データを予め格納しているデータベース５を備えている。
【００４８】
さて契約者用のページではこれらから育成しようとする植物名や必要事項をインプットする初期設定メニューが用意されており、メニューに従って育成しようとする植物名等必要事項を入力する。管理用サーバー４はＷｅｂサーバー機能４０ａを通じて受け取った育成対象の植物名を植物育成情報作成機能４０ｂに渡す。植物育成情報作成機能４０ｂは当該植物の標準的な植物育成基本データを、データベース５から検索する。
【００４９】
ここで用いる植物育成基本データは植物育成装置１のセッティングから植物育成終了までの育成作業スケジュールに沿って、作業項目とその内容を示す作業情報、植物育成空間の制御する環境制御機器の制御内容や施肥用の制御機器の制御内容を示す制御情報とからなる植物育成情報を時系列的に記述したものである。
【００５０】
図５はこの植物育成基本データを模式的に表化したものであって、最上段には種付け日を０として植物育成終了日までと、種付け日に至るまでの日を１日単位で区分して０日からの±日数を記入した育成作業スケジュール欄Ｔとしてある（図６に一部拡大した図を示す）。
【００５１】
そして種付け日から植物育成終了日までを植物育成状態の遷移に対応して夫々の状態の期間を時系列的に設定している。例えばメロンが育成対象植物の場合には、左端の項目欄Ｎに示すように発芽期（１）、幼苗期（２）、成長期（３）、開花（４）、結実（５）、横ネット発生（６）、縦ネット発生（７）、成熟期（８）、収穫・育成終了（９）という各植物育成状態の想定期間を育成作業スケジュールに対応付けて割り当てている。育成作業スケジュール欄Ｔの下方の数字が各植物育成状態（１）〜（９）に対応している。
【００５２】
そしてこれらの植物育成状態に対応した項目Ｎの欄ｎ１…に示した作業項目と手入れ・操作の内容Ｍの欄ｍ１…に示した作業内容からなる作業情報とを各植物育成状態の期間の日程に対応して割り付けるようになっており、割り付けを丸印（●又は○）で示している。ここで丸印中●は後述すように作業内容に対する作業実行や作業情報が管理用サーバー４から送信されたことを示し、○はこれらが実行されなかった状態を示す。
【００５３】
また図５＜一部拡大した図７を参照＞では項目欄ｏ１…に示した制御項目に対応する制御情報としてその制御目標値を各植物育成状態の期間の日程に対応して記述している。
【００５４】
そして前記のように初期設定メニューによる顧客Ａからの入力があると、管理用サーバー４の植物育成情報作成機能４０ｂが検索した標準の植物育成基本データからセッティング当日の作業項目とその内容をピックアップして植物育成情報を作成し、その植物育成情報を当該顧客Ａのパソコン３に送信する。
【００５５】
尚各顧客Ａのパソコン３はＩＳＰが提供する接続サービスによりネットワークＩＮＴに対して常時接続することで、事業者Ｂ側により提供されるアプリケーションにより例えばＶＰＮクライアントとして機能し、管理用サーバー４から植物育成情報の提供を受けることができるようになっている。
【００５６】
さて送られてきた植物育成情報は、パソコン３のモニタ装置にＷｅｂブラウザ或いは専用表示アプリケーションによって提供される表示画面で表示される。この情報により植物育成者はその表示を見ることで作業項目と実行しなければならない内容を知ることができる。初日（−１日目）では図８に示すように植物育成設備Ｙのセッティング（ｎ１）と、養液の準備（ｎ２）、培地準備（ｎ３）、環境設定（ｎ４）等の作業項目とその作業内容(ｍ１)〜（ｍ４）とが記述された植物育成情報が管理用サーバー４で作成されて顧客Ａ側のパソコン３へ送られてくる。この初日では育成は開始されていないため、施肥や環境制御のための制御情報は送られこない。
【００５７】
一方管理用サーバー４では育成作業スケジュールの管理のためのスケジュール管理機能４０ｃを備えており、顧客Ａ毎に育成作業スケジュールの遷移を管理するようになっている。さてスケジュール管理機能４０ｃが当該顧客Ａに対応した育成作業スケジュールに沿って次日を計時すると、植物育成情報作成機能４０ｂは種付け（ｎ５）や灌水状態の確認（ｎ６）の作業項目及びその内容（ｍ５）、（ｍ６）を示す作業情報と、植物育成開始に当たり、施肥のための養液量、灌水量、更に照明の光質、照明サイクル、更には植物育成空間の温度等を対応する制御機器に指示する制御情報とからなる植物育成情報を植物育成基本データに基づいて作成して対応する顧客Ａのパソコン３へネットワークＩＮＴを通じて送信する。
【００５８】
パソコン３では作業情報に対応して作業項目とその内容をモニタ装置で表示させ、一方制御ユニット２に対して制御情報を渡す。これにより顧客Ａは当日の作業項目とその内容とを知ることができ、その提示される作業項目の内容を実行すれば良いことになる。一方植物育成装置１では制御ユニット２が制御情報に示される制御目標とセンサーの検知情報とに基づいて対応する制御機器を制御する処理を行い、これにより植物育成状態に適した環境が作り出されるとともに、適量な施肥や灌水が自動的に為されることになる。
【００５９】
このようにして植物育成状態に対応した作業項目及びその内容からなる作業情報ｎ１…と、制御機器の制御情報とからなる植物育成情報を、スケジュール管理機能４０ｂが管理する育成作業スケジュールに沿って植物育成作業機能４０ｂが作成し、対応する顧客Ａのパソコン３へネットワークＩＮＴを介して送信することで、顧客Ａは当日の作業項目とその内容をモニタ装置の表示から知ることができ、一方植物育成装置１の環境制御、施肥量、灌水量が自動制御されることになる。
【００６０】
ところで植物育成過程では、育成状態を実際に確認し、その確認結果に基づいて作業項目のスケジュールを繰り上げる必要となる場合がある。例えば育成植物Ｘの過半数の発芽が確認されると、未発芽の育成植物Ｘを間引きするなどの作業を行う必要があるが、発芽自体は植物固体差などにより発芽時点がずれることになる。そこで発芽期間終了間近の日から、作業項目が発芽確認（ｎ７）であって、その内容（ｍ７）を育成植物Ｘの例えば過半数が発芽しているかを確認することを顧客Ａに求める内容とした作業情報を含む植物育成情報を植物育成情報作成機能４０ｂで作成して送信する期間として所定日数を割り当てている。
【００６１】
そして顧客Ａはその送信されてくる期間においてパソコン３のモニタ装置で提示される作業項目（ｎ７）とその内容（ｍ７）に基づいて育成植物Ｘの状態を観察し、過半数が発芽していることが確認できた場合には作業項目（ｎ８）とその内容に（ｍ８）に呼応し、パソコン３を通じて確認したことを示す情報を結果情報として送るか、或いはネット端末となるＰＤＡ、携帯電話機から管理用サーバー４の所定のホープページをアクセスして確認したことを示す結果情報を送る作業を行う。
【００６２】
管理用サーバー４の植物育成情報作成機能４０ｂは確認を示す結果情報が受信されると、それに対応して設定している発芽確認のための期間が途中であっても、発芽確認後の次の作業項目である間引き（ｎ９）とその内容（ｍ９）とからなる作業情報を含む植物育成情報を繰り上げて作成し、翌日から当該顧客Ａのパソコン３に送信する。これにより顧客Ａは遅延することなく間引きの作業を行い、適正な植物育成を行うことが可能となる。
【００６３】
ところで、顧客Ａの何らかの原因で発芽の確認に対応する作業情報を送信する期間の最終日になっても確認を示す結果情報が送られてこなかった場合には、植物育成情報作成機能４０ｂは発芽確認後の次の作業項目である間引き（ｎ９）とその内容（ｍ９）からなる作業情報を含む植物育成情報を作成し、育成作業スケジュールに基づいて翌日から当該顧客Ａのパソコン３に送信することで、間引きの遅れを最小限に止めるようにする。
【００６４】
発芽の確認と間引きというように適正な植物育成に必要な作業としては、それ以外に苗の生長確認（ｎ１０）と定植（ｎ１１）とがある。
【００６５】
そこで間引きに対応する作業情報を送信する期間の終了後若しくは並行して成長の確認という作業項目（ｎ１０）とその内容（ｍ１０）からなる作業情報を含む植物育成情報を植物育成情報作成機能４０ｂが作成して、育成作業スケジュールに沿って顧客Ａ側のパソコン３へ送信する。
【００６６】
そして顧客Ａがパソコン３のモニタ装置で表示される作業項目（ｎ１０）とその内容（ｍ１０）に沿って作業を行い、次に送られてくる定植という作業項目（ｎ１１）及びその内容（ｎ１１）に基づいて元気の良い株を所定位置に定植する作業を行い、その作業が終了した時点でパソコン３或いはその他のネット端末を通じて確認したことを示す結果情報を発芽確認の場合と同様に管理用サーバー４へ送ると、植物育成情報作成機能４０ｂは所定期間の途中であっても、定植後の次の作業項目である支柱立て（ｎ１２）とその内容（ｍ１２）からなる作業情報を含む植物育成情報を繰り上げて作成し、翌日から当該顧客Ａのパソコン３に送信する。これにより顧客Ａは定植後の作業を遅延することなく行える。
【００６７】
勿論定植の確認を示す結果情報が、前記所定期間終了まで無ければ、植物育成情報作成機能４０ｂは定植後の次の作業項目である支柱立て（ｎ１２）とその内容（ｍ１２）からなる作業情報を含む植物育成情報を作成し、育成作業スケジュールに基づいて翌日から当該顧客Ａのパソコン３に送信する。
【００６８】
前記の発芽確認や成長具合の確認以外に、作業項目で求めた確認を示す結果情報を受け取ると、確認を求める作業項目の作業情報を含む植物育成情報の変わりに次の作業項目を含む植物育成情報を植物育成情報作成機能４０ｂが作成するその他の事例としては、図９に示すように発芽確認、成長確認以外に初開花の確認（ｎ２１）、メロンの場合の縦ネット発生の確認（ｎ２９）、横ネット発生の確認（ｎ３１）、ネット終了の確認（ｎ３３）の場合がある。
【００６９】
またある期間継続されるような育成状態の確認要求、例えばメロンのような果実の場合には図９（ａ）に示すに結実の確認（ｎ２４）というような作業内容に対応した作業情報を含む植物育成情報を結実の想定期間を送る場合、植物育成情報作成機能４０ｂは最初の結実確認を示す結果情報が送られてきても、想定期間が終了するまで、結実の確認要求という作業内容に対応した作業情報を含む植物育成情報を送信し続ける。この場合植物育成情報作成機能４０ｂは想定期間の途中からは結実確認後の次の作業となる雄花の除去（ｎ２６）というような作業内容に対応した作業情報も含めた植物育成情報を作成し想定した期間の途中から並行して顧客Ａのパソコン３に送信する。
【００７０】
更に図９（ｂ）に示す植物育成終了の確認（ｎ３７）の場合には結果情報を受け取ると、植物育成情報作成機能４０ｂは以後植物育成情報の作成送信を停止する。
【００７１】
以上のように本発明の植物育成情報の提供方法を採用した植物育成システムでは、顧客Ａ側に、植物育成装置１の制御機器の制御情報と、植物育成者である顧客Ａの為す必要のある作業内容からなる作業情報とからなる植物育成情報を作成して顧客Ａ側へネットワークＩＮＴを通じて提供することで、植物育成装置１の環境、施肥、灌水などを自動的に制御することができる上に、育成作業の知識が少ない一般人の顧客Ａでも育成状態に応じて育成作業が行う、しかも植物育成にとって重要な育成状態の確認を示す結果情報から植物育成情報作成機能４０ｂが育成作業スケジュールを変更する形で最適な植物育成情報を作成提供できるので、失敗の無い植物育成結果が得られる。
【００７２】
尚本実施形態では育成状態の確認は植物育成者である顧客Ａの観察により行っているが、管理用サーバー４からの確認命令に従って自動的に確認を行う確認手段を植物育成装置１に設けてもよい。例えば育成植物Ｘを撮像カメラで撮像し、その撮像画像を用いて育成植物Ｘの育成状態（生育状態）を葉の面積、茎の丈、花の面積等の具合を画像処理により分析し、その分析結果に基づいて自動的に上述の確認作業と同様な結果情報を管理用サーバー４へ転送するようにしても良い。或いは赤外線等を用いた対向しきの光電センサを用いて草丈を自動的に測定する手段を確認手段として用いても良い。
【００７３】
また上述の実施形態では、育成作業スケジュールに沿って植物育成情報を管理用サーバー４から植物育成設備Ｙ側に日々送るようになっているが、セッティングから育成終了までの育成作業スケージュールに沿った全ての植物育成情報を初期時に管理用サーバー４から植物育成設備Ａのパソコン３へ送り、育成途中の確認結果による修正をパソコン３に搭載しているシステム対応のアプリケーションで自律的に行うようにしても良い。自律的な修正の替わりに、顧客Ａ側から管理用サーバー４に修正要求を行って修正情報を管理用サーバー４からパソコン３へ送らせるようにしても良い。
【図面の簡単な説明】
【００７４】
【図１】本発明方法を用いた植物育成システムの一実施形態のシステム構成図である。
【図２】同上に用いる植物育成装置の一部破断せる全体斜視図である。
【図３】同上に用いる植物育成装置の分解斜視図である。
【図４】同上に用いる制御ユニットの接続関係説明図である。
【図５】同上に用いる植物育成基本データの構成を示し模式図である。
【図６】図５の一部拡大且つ省略せる模式図である。
【図７】図５の一部拡大且つ省略せる模式図である。
【図８】図５の一部拡大且つ省略せる模式図である。
【図９】（ａ），（ｂ）は図５の一部拡大且つ省略せる模式図である。
【符号の説明】
【００７５】
Ａ      顧客
Ｂ      事業者
ＩＮＴ  ネットワーク
Ｙ      植物育成設備
１      植物育成装置
２      制御ユニット
３    パソコン
４    管理用サーバー
４０ａ  Ｗｅｂサーバー機能
４０ｂ  植物育成情報作成機能
４０ｃ  スケジュール管理機能
【図１】
2006254775.tif 000003
【図２】
2006254775.tif 000004
【図３】
2006254775.tif 000005
【図４】
2006254775.tif 000006
【図５】
2006254775.tif 000007
【図６】
2006254775.tif 000008
【図７】
2006254775.tif 000009
【図８】
2006254775.tif 000010
【図９】
2006254775.tif 000011